(57)【要約】【課題】探索者は被探索者に通話のダイヤルをし、応答がなかったときに、引き続き操作をすれば、被探索者から位置情報が送信されるという操作性が良い装置を供給する。また、現在位置情報の送信では被探索者のプライベートが守られるようにする。【解決手段】発呼者と送受信を行う通信手段を有して発呼者からの通話の発呼信号を受信したときに応答信号を発呼者に送信することにより通話状態に移行する携帯電話装置において、信号を登録する登録手段と、現在位置を検出するＧＰＳ受信部１６と、発呼者からの通話の発呼信号を受信したとき、応答信号を発呼者に送信する前に前記登録された信号と一致する信号を受信すると前記現在位置を前記発呼者に送信する制御回路１１を備える。【選択図】        図２
2004289345.tif 000002
【特許請求の範囲】
【請求項１】
発呼者と送受信を行う通信手段を有して発呼者からの通話の発呼信号を受信したときに応答信号を発呼者に送信することにより通話状態に移行する携帯電話装置において、
信号を登録する登録手段と、現在位置を検出する検出手段と、発呼者からの通話の発呼信号を受信したとき、応答信号を発呼者に送信する前に前記登録された信号と一致する信号を受信すると前記現在位置を前記発呼者に送信する制御手段を備えたことを特徴とする携帯電話装置。
【請求項２】
電池残量を検出する電池残量検出手段を備え、前記現在位置を送信するときに電池残量も送信することを特徴とする請求項１に記載の携帯電話装置。
【請求項３】
電池残量を検出する電池残量検出手段を備え、前記制御手段は電池残量が所定以下になると、電池残量が少なくなっていることを前記発呼者に送信することを特徴とする請求項１に記載の携帯電話装置。
【請求項４】
前記制御手段は前記現在状況に係る情報の送信を間欠的に行うことを特徴とする請求項１に記載の携帯電話装置。
【請求項５】
電池残量を検出する電池残量検出手段を備え、前記制御手段は電池残量が所定以下になると、前記間欠的な送信を中止することを特徴とする請求項４に記載の携帯電話装置。
【請求項６】
前記制御手段は前記現在状況に係る情報の送信を装置が所定距離移動する度に行うことを特徴とする請求項１に記載の携帯電話装置。
【発明の詳細な説明】
【０００１】
【発明の属する技術分野】
本発明は、現在状況に係る情報を検出する機能を有する携帯電話装置に関する。
【０００２】
【従来の技術】
現在位置を検出する機能を有した携帯電話装置を被捜索者に携帯させ、この携帯電話装置にダイヤルすることにより携帯電話装置の現在位置を捜索者の電話装置に送信することが考えられた（例えば、特許文献１参照。）。これにより、捜索者は被捜索者が携帯していた携帯電話装置の位置を知ることができる。
【０００３】
【特許文献１】
特開２０００−９９８６４号公報（第４頁）
【０００４】
【発明が解決しようとする課題】
しかしながら、これにはいくつかの問題があった。例えば、徘徊老人の如く、被捜索者が探索目的として携帯電話装置を携帯している場合であれば、ダイヤルの着信に応答して即座に位置情報を送信してもよい。しかし、被捜索者が探索目的として携帯電話を携帯していない場合であれば、ダイヤルの着信に応答して即座に位置情報を送信すると、探索目的でない着信があった場合にも、発呼者に位置情報が送信されることになり、プライベートが侵害されるという問題がある。
【０００５】
また、被捜索者の携帯電話装置が移動しているときは、位置を知りたい度にダイヤルするのは操作性が悪く、例えば、受信した位置に向かって運転しているときにはダイヤル発信が困難であるという問題がある。
【０００６】
また、被捜索者の携帯電話装置が移動しているときは、その携帯電話装置は複数回位置を送信することになり、電池を消耗するが、捜索者には被捜索者の携帯電話装置の電池残量を知らずに位置情報の発信要求をするという問題がある。
【０００７】
【課題を解決するための手段】
本発明の携帯電話装置はかかる点に鑑みなされたもので、発呼者と送受信を行う通信手段を有して発呼者からの通話の発呼信号を受信したときに応答信号を発呼者に送信することにより通話状態に移行する携帯電話装置において、
信号を登録する登録手段と、現在位置を検出する検出手段と、発呼者からの通話の発呼信号を受信したとき、応答信号を発呼者に送信する前に前記登録された信号と一致する信号を受信すると前記現在位置を前記発呼者に送信する制御手段を備える。
【０００８】
また、電池残量を検出する電池残量検出手段を備え、前記現在位置を送信するときに電池残量も送信する。
【０００９】
また、前記制御手段は電池残量が所定以下になると、電池残量が少なくなっていることを前記発呼者に送信する。
【００１０】
また、前記制御手段は前記現在状況に係る情報の送信を間欠的に行う。
【００１１】
また、前記制御手段は電池残量が所定以下になると、前記間欠的な送信を中止する。
【００１２】
また、前記制御手段は前記現在状況に係る情報の送信を装置が所定距離移動する度に行う。
【００１３】
【発明の実施の形態】
本発明の実施例を図面に基づき説明する。本実施例の発呼者及び被呼者の携帯電話装置は、同じ周波数のキャリアを同一セルで複数利用するＣＤＭＡ方式の携帯電話機である。図１は実施例の要部の構成を示すブロック図である。
【００１４】
（１）は電話通信部であり、後述のベースバンド部（３）からの信号をアンテナ（２）を介して基地局へ発信したり、アンテナ（２）を介して基地局からの電波を受信したりする。
【００１５】
（３）はベースバンド部であり、ＣＤＭＡ処理回路（３１）と音声コーデック（３２）を有する。ＣＤＭＡ処理回路（３１）は符号分割多元接続、スクランブル、誤り制御、タイミング検出を行う。音声コーデック（３２）は音声を圧縮（符号化）・伸張（復号化）したり、アナログとディジタルの変換を行ったり、内部の増幅回路（図示せず）により受話音量やマイクロホンの感度を変更する。
【００１６】
（４）は耳にあてて通話に使用されるスピーカであり、増幅回路（５）で増幅されたベースバンド部（３）の電気信号を音声に変換する。（６）は通話に使用されるマイクロホンであり、音声を電気信号に変換する。（７）は増幅回路であり、マイクロホン（６）の出力を増幅してベースバンド部（３）に出力する。
【００１７】
（８）は受話音を周囲の人にも聞かせるための拡声用のスピーカである。このスピーカ（８）は増幅回路（９）で増幅されたベースバンド部（３）の電気信号を音声に変換する。また、スピーカ（８）は着信報知の鳴動も行う。
【００１８】
（１０）は切替回路であり、３つの夫々の増幅回路（５）（７）（９）とベースバンド部（３）との接続を後述の制御回路（１１）の制御によりＯＮ／ＯＦＦする。尚、これら３つの増幅回路（５）（７）（９）はゲインを固定しており、受話音量やマイクロホンの感度を変更することはできない。受話音量やマイクロホンの感度の変更は制御回路（１１）の制御によりベースバンド部（３）の音声コーデック（３２）が行う。
【００１９】
（１１）はマイクロプロセッサからなる制御回路であり、動作のプログラムを記憶したＲＯＭ（１２）に基づき各部を制御する。（１３）はＲＡＭであり、制御回路（１１）の動作に必要な情報を記憶する。
【００２０】
（１４）は液晶の表示部であり、電話番号等を表示する。（１５）は入力手段であり、電話番号の入力等を行うテンキー（１５１）と、通話の開始を操作する通話キー（１５２）と、通話の終了を操作する終話キー（１５３）、信号の登録操作を行う登録キー（１５４）を有する。（１６）はＧＰＳ（Ｇｌｏｂａｌ  Ｐｏｓｉｔｉｏｎｉｎｇ  Ｓｙｓｔｅｍ）受信部であり、ＧＰＳアンテナ（１７）がとらえた現在位置情報の電波を電気信号に変換処理して制御回路（１１）に出力する。（１８）はＣＣＤ方式のカメラであり、撮像する。（１９）は電池容量検出回路であり、装置の電力を供給する充電式乾電池（図示せず）の電池残量を検出する。
【００２１】
予め、本装置の使用者によって、現在位置情報の送信を行う信号が登録される。制御回路（１１）は、登録キー（１５４）が押下されると、再び登録キー（１５４）が押下されるまでに入力された文字（例えば、“どこ”）をＲＡＭ（１３）に記憶させる。
【００２２】
図２は制御回路（１１）の動作を示すフローチャートである。制御回路（１１）のレジスタ（図示せず）に変数Ａを記憶する。変数Ａが０のときは現在位置情報を送信しないモードであることを示し、１のときは現在位置情報を送信するモードであることを示す。初期の変数Ａは０である（Ｓ１）。
【００２３】
制御回路（１１）は、待機状態（Ｓ２のＮ→Ｓ９のＮ→Ｓ２のＮのループ）で、発呼者から通話要求の着信があると（Ｓ２のＹ）、発呼者の番号を受信してこれをＲＡＭ（１３）に記憶させる（Ｓ３）。そして、通話キー（１５２）が押下されれば（Ｓ４のＹ）発呼者との通話の処理を行う（Ｓ５）。
【００２４】
被呼者の携帯電話装置の通話キー（１５２）が押下されない着信中の状態で、発呼者の携帯電話装置の通話キーが押下されれば文字入力モードになり、ここで文字（例えば、“どこ”や“ＯＦＦ”）が入力され、再度通話キーが押下されれば入力された文字が被呼者の携帯電話装置に送信される。
【００２５】
被呼者の携帯電話装置の通話キー（１５２）が押下されない着信中の状態で、制御回路（１１）がＲＡＭ（１３）に記憶されている登録文字と一致する文字（例えば、“どこ”）を受信すると（Ｓ６のＹ）、変数Ａを１にして現在位置情報を送信するモードに設定する（Ｓ７）。そして、ＧＰＳ受信部（１６）によって受信された位置情報と電池容量検出回路（１９）によって検出された電池残量を発呼者の携帯電話装置に送信し（Ｓ８）、ステップＳ２に戻って待機状態になる。
【００２６】
尚、この登録データは照合するものであればよく、文字に限定するものではない。例えば、特殊キーに対応した信号でもよい。
【００２７】
待機中に変数Ａが１であると（Ｓ９のＹ）、ステップＳ８で送信した位置から所定距離（例えば、１ｋｍ）移動したか否かを調べる。所定距離移動すれば、自動的に発呼者にダイヤルして（Ｓ１１）、ＧＰＳ受信部（１６）によって受信された位置情報と電池容量検出回路（１９）によって検出された電池残量を発呼者に送信し（Ｓ１２）、ステップＳ２に戻って待機状態になる。
【００２８】
尚、所定距離移動するたびに現在位置情報を送信したが、間欠的に送信すればよく、例えば、所定時間経過するたびに送信してもよい。また、間欠の間隔（所定距離）を探索者が設定できるようにしてもよい。
【００２９】
また、待機中に変数Ａが１であると（Ｓ９のＹ）、電池残量が所定以下（例えば、５分の１）か否かを調べる（Ｓ１３）。電池残量が所定以下になると（Ｓ１３のＹ）、自動的に発呼者にダイヤルして（Ｓ１４）、電池残量が少ない旨の音声（例えば、「電池残量が５分の１以下です。」）を送信し（Ｓ１５）、変数Ａを０に戻し（Ｓ１６）、ステップＳ２に戻って待機状態になる。
【００３０】
尚、電池残量が少ない旨の報知方法は音声に限定するものではなく、表示データやＬＥＤの点灯を制御するデータを送信してもよい。
【００３１】
被呼者の携帯電話装置の通話キー（１５２）が押下されない着信中の状態で、制御回路（１１）が“ＯＦＦ”を受信すると（Ｓ１７のＹ）、変数Ａを０に戻すことにより現在位置情報を送信しないモードにする（Ｓ１８）。
【００３２】
尚、上述の実施例の登録された信号は発呼者の電話番号でもよい。このときは、発呼者が発呼の操作のみすれば自動的に発呼者の電話番号を被呼者の携帯電話装置が受信して、位置情報を送信する。即ち、許容された発呼者番号に自動的に位置情報が送信される。
【００３３】
【発明の効果】
上述の如く、本発明は、被呼者（被捜索者）の携帯電話装置に登録された文字に一致する信号を通話の着信中に受信すると、自動的に発呼者（捜索者）の携帯電話装置に被呼者（被捜索者）の携帯電話装置の現在位置情報を送信する。
【００３４】
このように、被探索者の携帯電話装置の動作は着信中の文字検出であるので、まず、探索者は被探索者に通話のダイヤルをし、応答がなかったときに、引き続き登録されている文字の送信操作をすればよい。このように、探索者の発呼操作の継続であるために操作性が良い。
【００３５】
また、登録文字との一致を条件に現在位置情報を送信するために、被探索者がプライベートを守ることができる。
【００３６】
また、本発明は、所定距離移動するたびに、自動的に現在位置情報を送信する。このために、被探索者が移動しているとき、探索者は現在位置情報を要求する操作を何度も行わなくても良い。特に、探索者が車両を運転して被探索者のところに向かっているときに大きな効果がある。尚、電池残量が少ないときは、自動的に現在位置情報を送信することを中止するために、電池切れを防止することができる。
【００３７】
また、本発明は、被探索者の携帯電話装置の現在位置情報と共に電池残量も探索者の携帯電話装置に送信する。また、電池残量が少なくなったときは自動的にその旨の音声を送信する。これらにより、探索者は被探索者の携帯電話装置の電池切れを考慮することができる。
【図面の簡単な説明】
【図１】本発明の実施例の主要な構成を示すブロック図である。
【図２】本発明の動作を示すフローチャートである。
【符号の説明】
１  電話通信部
１１  制御回路
１３  ＲＡＭ
１６  ＧＰＳ受話部
１９  電池容量検出回路
１５４  登録キー
【図１】
2004289345.tif 000003
【図２】
2004289345.tif 000004